(57)【要約】  移動通信システムにおいて動作する移動端末におけるネットワークサービス及び／又はネットワーク能力を選択的に動作可能にする。これは、いくつかのネットワークサービス及び／又はネットワーク能力のそれぞれの動作の可非を示す、符号化された情報エレメントの受信を含む。そして、情報エレメントは移動端末に格納される。次いで、移動端末は、動作不能であると情報エレメント要素によって示される全てのネットワークサービス及びネットワーク能力を移動端末が要求することを禁止するように動作する。情報エレメントは、１以上のサービス及び／又は能力が利用可能でない原因をユーザが判断するのを支援するために、移動端末のユーザ向けに表示するテキストストリング及び／又はカスタマーサービス番号を含んでもよい。
2008519476.tif 000002
【特許請求の範囲】
【請求項１】
移動通信システムにおいて動作する移動端末において、ネットワークサービス及び／又はネットワーク能力を選択的に動作可能にする方法であって、
いくつかのネットワークサービス及び／又はネットワーク能力それぞれが動作可能または動作不能であるかを示す符号化された情報エレメントを受信する工程と、
前記移動端末に前記情報エレメントを格納する工程と、
動作不能であると前記情報エレメントによって示される全てのネットワークサービス及びネットワーク能力を前記移動端末が要求することを禁止するように、前記移動端末を動作させる工程と
を有することを特徴とする方法。
【請求項２】
ネットワークサービス及び／又はネットワーク能力の可用性に関する情報を前記移動端末のユーザ向けに出力する工程を有し、前記情報は受信した情報エレメントから導出されることを特徴とする請求項１に記載の方法。
【請求項３】
前記情報エレメントはテキストストリングを含み、
前記方法は、前記テキストストリングを前記携帯端末のユーザ向けに表示する工程を有することを特徴とする請求項１に記載の方法。
【請求項４】
前記情報エレメントはカスタマーサービスの電話番号を含み、
前記方法は、前記カスタマーサービスの電話番号を前記移動端末のユーザ向けに表示する工程を有することを特徴とする請求項１に記載の方法。
【請求項５】
前記情報エレメントは、第１のネットワークサービス又は第１のネットワーク能力が動作不能であることを示し、
前記方法は、
前記第１のネットワークサービス又は第１のネットワーク能力が動作可能であることを示す符号化された後続の情報エレメントを受信する工程と、
前記移動端末に、前記後続の情報エレメントを格納する工程と、
前記第１のネットワークサービス又は第１のネットワーク能力を要求する前記移動端末の能力を、再び動作可能にするように、前記移動端末を動作させる工程と
を有することを特徴とする請求項１に記載の方法。
【請求項６】
前記移動端末に前記情報エレメントを格納する工程は、前記情報エレメントをメモリに格納する工程を含み、前記メモリは前記移動端末のオン、オフに関わらず前記情報エレメントを保持することを特徴とする請求項１に記載の方法。
【請求項７】
前記移動端末に前記情報エレメントを格納する工程は、前記情報エレメントを前記移動端末の加入者ＩＤモジュール（ＳＩＭ）又は世界加入者ＩＤモジュール（ＵＳＩＭ）の中には存在しないメモリに格納する工程を含むことを特徴とする請求項１に記載の方法。
【請求項８】
公衆陸上移動通信網から、いくつかのネットワークサービス及び／又はネットワーク能力のそれぞれが動作可能であるか動作不能であるかを示す状態報告を要求する、符号化された情報エレメントを受信する工程と、
前記状態報告を要求する符号化された前記情報エレメントの受信に応じて、前記いくつかのネットワークサービス及び／又はネットワークそれぞれが動作可能であるか動作不能であるかを示す、符号化された前記情報エレメントを公衆陸上移動通信網に送信する工程と
を有することを特徴とする請求項１に記載の方法。
【請求項９】
前記公衆陸上移動通信網から、前記状態報告を要求する符号化された前記情報エレメントを受信する工程は、前記移動端末と前記公衆陸上移動通信網との間の登録手続きの一部として実行されることを特徴とする請求項８に記載の方法。
【請求項１０】
前記移動通信システムは、第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する工程は、いくつかのネットワークサービス及び／又はネットワーク能力それぞれが動作可能であるか動作不能であるかを示す、前記状態報告を要求する符号化されたルーティング・エリア・更新受理メッセージを受信する工程を含むことを特徴とする請求項８に記載の方法。
【請求項１１】
前記移動通信システムは、第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する工程は、いくつかのネットワークサービス及び／又はネットワーク能力それぞれが動作可能であるか動作不能であるかを示す、前記状態報告を要求する符号化された添付受理メッセージを受信する工程を含むことを特徴とする請求項８に記載の方法。
【請求項１２】
前記移動通信システムは、第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する工程は、いくつかのネットワークサービス及び／又はネットワーク能力それぞれが動作可能であるか動作不能であるかを示す、前記状態報告を要求する符号化された位置更新受理メッセージを受信する工程を含むことを特徴とする請求項８に記載の方法。
【請求項１３】
前記公衆陸上移動通信網に前記いくつかのネットワークサービス及び／又はネットワーク能力それぞれが動作可能であるか動作不能であるかを示す、符号化された前記情報エレメントを送信する工程は、
前記公衆陸上通信網に前記いくつかのネットワークサービス及び／又はネットワーク能力それぞれが動作可能であるか動作不能であるかを示す、符号化された前記情報エレメントを含む位置更新完了メッセージを送信する工程を含むことを特徴とする請求項１２に記載の方法。
【請求項１４】
前記移動通信システムは、第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する工程は、前記いくつかのネットワークサービス及び／又はネットワーク能力それぞれが動作可能であるか動作不能であるかを示す、符号化された前記情報エレメントを含むＭＭ情報メッセージを受信する工程を含むことを特徴とする請求項１に記載の方法。
【請求項１５】
前記移動通信システムは、第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する工程は、前記いくつかのネットワークサービス及び／又はネットワーク能力それぞれが動作可能であるか動作不能であるかを示す、符号化された前記情報エレメントを含むＧＭＭ情報メッセージを受信する工程を含むことを特徴とする請求項１に記載の方法。
【請求項１６】
移動通信システムにおいて動作する移動端末において、ネットワークサービス及び／又はネットワーク能力を選択的に動作可能にする装置であって、
いくつかのネットワークサービス及び／又はネットワーク能力それぞれが動作可能または動作不能であるかを示す符号化された情報エレメントを受信する論理と、
前記移動端末に前記情報エレメントを格納する論理と、
動作不能であると前記情報エレメントによって示される全てのネットワークサービス及びネットワーク能力を前記移動端末が要求することを禁止するように、前記移動端末を動作させる論理と
を有することを特徴とする装置。
【請求項１７】
ネットワークサービス及び／又はネットワーク能力の可用性に関する情報を前記移動端末のユーザ向けに出力する論理を有し、前記情報は受信した情報エレメントから導出されることを特徴とする請求項１６に記載の装置。
【請求項１８】
前記情報エレメントはテキストストリングを含み、
前記装置は、前記テキストストリングを前記携帯端末のユーザ向けに表示する論理を有することを特徴とする請求項１６に記載の装置。
【請求項１９】
前記情報エレメントはカスタマーサービスの電話番号を含み、
前記装置は、前記カスタマーサービスの電話番号を前記移動端末のユーザ向けに表示する論理を有することを特徴とする請求項１６に記載の装置。
【請求項２０】
前記情報エレメントは、第１のネットワークサービス又は第１のネットワーク能力が動作不能であることを示し、
前記装置は、
前記第１のネットワークサービス又は第１のネットワーク能力が動作可能であることを示す符号化された後続の情報エレメントを受信する論理と、
前記移動端末に、前記後続の情報エレメントを格納する論理と、
前記第１のネットワークサービス又は第１のネットワーク能力を要求する前記移動端末の能力を、再び動作可能にするように、前記移動端末を動作させる論理と
を有することを特徴とする請求項１６に記載の装置。
【請求項２１】
前記移動端末に前記情報エレメントを格納する論理は、前記情報エレメントをメモリに格納する論理を含み、前記メモリは前記移動端末のオン、オフに関わらず前記情報エレメントを保持することを特徴とする請求項１６に記載の装置。
【請求項２２】
前記移動端末に前記情報エレメントを格納する論理は、前記情報エレメントを前記移動端末の加入者ＩＤモジュール（ＳＩＭ）又は世界加入者ＩＤモジュール（ＵＳＩＭ）の中には存在しないメモリに格納する論理を含むことを特徴とする請求項１６に記載の装置。
【請求項２３】
公衆陸上移動通信網から、いくつかのネットワークサービス及び／又はネットワーク能力のそれぞれが動作可能であるか動作不能であるかを示す状態報告を要求する、符号化された情報エレメントを受信する論理と、
前記状態報告を要求する符号化された前記情報エレメントの受信に応じて、前記いくつかのネットワークサービス及び／又はネットワークそれぞれが動作可能であるか動作不能であるかを示す、符号化された前記情報エレメントを公衆陸上移動通信網に送信する論理と
を有することを特徴とする請求項１６に記載の装置。
【請求項２４】
前記公衆陸上移動通信網から、前記状態報告を要求する符号化された前記情報エレメントを受信する論理は、前記移動端末と前記公衆陸上移動通信網との間の登録手続きの一部として実行されることを特徴とする請求項２３に記載の装置。
【請求項２５】
前記移動通信システムは、第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信することは、いくつかのネットワークサービス及び／又はネットワーク能力それぞれが動作可能であるか動作不能であるかを示す、前記状態報告を要求する符号化されたルーティング・エリア・更新受理メッセージを受信することを含むことを特徴とする請求項２３に記載の装置。
【請求項２６】
前記移動通信システムは、第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信することは、いくつかのネットワークサービス及び／又はネットワーク能力それぞれが動作可能であるか動作不能であるかを示す、前記状態報告を要求する符号化された添付受理メッセージを受信することを含むことを特徴とする請求項２３に記載の装置。
【請求項２７】
前記移動通信システムは、第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信することは、いくつかのネットワークサービス及び／又はネットワーク能力それぞれが動作可能であるか動作不能であるかを示す、前記状態報告を要求する符号化された位置更新受理メッセージを受信することを含むことを特徴とする請求項２３に記載の装置。
【請求項２８】
前記公衆陸上移動通信網に前記いくつかのネットワークサービス及び／又はネットワーク能力それぞれが動作可能であるか動作不能であるかを示す、符号化された前記情報エレメントを送信することは、
前記公衆陸上通信網に前記いくつかのネットワークサービス及び／又はネットワーク能力それぞれが動作可能であるか動作不能であるかを示す、符号化された前記情報エレメントを含む位置更新完了メッセージを送信することを含むことを特徴とする請求項２７に記載の装置。
【請求項２９】
前記移動通信システムは、第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する論理は、前記いくつかのネットワークサービス及び／又はネットワーク能力それぞれが動作可能であるか動作不能であるかを示す、符号化された前記情報エレメントを含むＭＭ情報メッセージを受信する論理を含むことを特徴とする請求項１６に記載の装置。
【請求項３０】
前記移動通信システムは、第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する論理は、前記いくつかのネットワークサービス及び／又はネットワーク能力それぞれが動作可能であるか動作不能であるかを示す、符号化された前記情報エレメントを含むＧＭＭ情報メッセージを受信する論理を含むことを特徴とする請求項１６に記載の装置。
【発明の詳細な説明】
【技術分野】
【０００１】
本発明は、移動通信システムに関し、より詳細には移動ユーザ装置における１以上の機能／能力を選択的に動作不能にするための技術に関係する。
【背景技術】
【０００２】
セルラー通信システムなどの移動通信システムでは、移動ユーザ装置（ＵＥ）と、サービスエリアに亘って地理的に分散するいくつかの基地局（ＢＳ）の１つとの間に無線(例えば、ラジオ）リンクを確立することにより、ＵＥが無線により通信できるようにしている。プロトコルにより移動性が提供され、このプロトコルは、ＵＥが第１のＢＳのカバーエリアから他のＢＳのカバーエリアに移動する場合、第１のＢＳから他へＵＥをハンドオーバするのを可能にしている。
【０００３】
種々の基地局が（例えば、無線及び／又は有線リンクにより）、呼サービスの実施に必要なインフラストラクチャを提供する公衆陸上移動通信網（ＰＬＭＮ）に接続される。ＰＬＭＮは、通常、公衆交換電話網（ＰＳＴＮｓ）との接続も有し、ＰＬＭＮと接続してない有線通信デバイスへの呼のルーティングを可能にしている。
【０００４】
異なる製造会社により設計、製作された装置間の相互操作を可能にするために、いくつかの移動通信規格が過去及び現在において支持され、第３世代パートナーシップ・プロジェクト（３ＧＰＰ）により開発、公表された規格など新しいものが発展を続けている。３ＧＰＰはいくつかの通信標準化団体の間で成された共同協定である。３ＧＰＰは、汎用パケット無線サービス（ＧＰＲＳ）及びＧＳＭ（Global System for Mobile communication）拡張版向けの高速データ・レート（ＥＤＧＥ）などの進化した無線接続技術を含む、ＧＳＭ技術仕様書及び技術報告の保守及び開発を担当する。３ＧＰＰは、また、３ＧＰＰがサポートする、（例えば、周波数分割二重化（ＦＤＤ）モード及び時分割二重化（ＴＤＤ）モードの両方による汎用地上無線アクセス（ＵＴＲＡ）等の）進化したＧＳＭコアネットワーク及び無線接続技術に基づく第３世代移動システムのための世界的に適用可能な技術仕様書及び技術報告を作成している。
【０００５】
本明細書では、良く知られた参考文献の特徴を読者に提供するために３ＧＰＰの用語を使用するが、本明細書で記載する種々の原理及び態様は、３ＧＰＰの仕様書に従い設計されるシステムに限定されず、類似のタイプの移動通信システムに適用可能であることが理解されよう。
【０００６】
移動通信システムにおいて遭遇しうる問題は、動作不良のユーザ装置（ＵＥ）に関するものである。動作不良のＵＥとは、悪意がある、又は、構成不良のアプリケーションを含むものであり、このアプリケーションは、ネットワークのサービス及び／又はネットワークへの接続を繰り返し要求する動作をすることがある。ＵＥによるこのタイプの動作は、無線リソースを割り当て、ネットワークの信号処理を無駄にするために、システムの機能を下げてしまう。この動作不良のアプリケーションは、例えば電子メール、ＳＭＳ及びプッシュサービスなどの様々な手段を通じて、ユーザによりＵＥにダウンロードされ、アプリケーションレイヤーの防御手段による検出及び無効化を（例外的に）免れることがある。
【０００７】
近い将来、端末にダウンロードされるアプリケーションの数が増加するであろうことが予見される。これにより、悪意がある、又は、構成不良のアプリケーションがユーザのＵＥにダウンロードされ、インストールされる確率が確実に増加し、それによりＵＥを動作不良にするであろう。
【０００８】
ＵＥ能力の選択的動作不能化（ＳＤｏＵＥ）は、３ＧＰＰにより承認された特徴であり、この特徴により運用会社が必要な場合「動作不良の」ＵＥ上のサービスを選択的に動作不能にすることができる。他の通信規格も同様の特徴を承認するであろう。
【発明の開示】
【０００９】
今日までのところ、ＵＥ能力を選択的に動作不能にするための特定の機構は存在しない。
【００１０】
本明細書において使用される場合、用語「含む」及び「含んでいる」は、記述する特徴、整数、工程又は構成要素の存在を明記するものと解釈されるが、これらの用語の使用は、１以上の他の特徴、整数、工程又は構成要素又はそのグループの存在又は追加を排除しないことが強調されるべきである。
【００１１】
本発明の１態様によれば前出及びその他の目的は、移動通信システムにおいて動作する移動端末におけるネットワークサービス及び／又はネットワーク能力を選択的に動作可能にするための技術において達成される。１態様においては、これはいくつかのネットワークサービス及び／又はネットワーク能力のそれぞれの動作の可非を示す符号化された情報エレメントを受信することを含む。そして、情報エレメントは、移動端末に格納される。次いで、移動端末は、動作不能であると情報エレメントによって示される全てのネットワークサービス及びネットワーク能力を移動端末が要求することを禁止するように動作する。
【００１２】
いくつかの実施形態では、ネットワークサービス及び／又はネットワーク能力の可用性に関する情報は移動端末のユーザ向けに出力され、この情報は受信した情報エレメントから導出される。
【００１３】
いくつかの実施形態では、情報エレメントは移動端末のユーザ向けに表示されるテキストストリングを含む。
【００１４】
いくつかの実施形態では、情報エレメントは移動端末のユーザ向けに表示されるカスタマーサービスの電話番号を含む。
【００１５】
別の態様では、移動端末が情報エレメントに基づき第１のネットワークサービス又は能力の要求を動作不能にした後、第１のネットワークサービス又は能力を動作可能にすることを示す符号化された後続の情報エレメントの受信に応じて、第１のネットワークサービス又は能力は、再び動作可能になる。
【００１６】
別の態様では、情報エレメントはメモリに格納され、このメモリは移動端末のオン、オフに関わらず情報エレメントを保持する。
【００１７】
更に別の態様では、情報エレメントは、移動端末の加入者ＩＤモジュール（ＳＩＭ）又は世界加入者ＩＤモジュール（ＵＳＩＭ）の中には存在しないメモリに格納される。
【００１８】
さらに別の態様では移動端末は、公衆陸上移動通信網から、いくつかのネットワークサービス及び／又はネットワーク能力のそれぞれの動作の可非を示す状態報告を要求する、符号化された情報エレメントを受信する。状態報告を要求する符号化された情報エレメントの受信に応じて、移動端末は、いくつかのネットワークサービス及び／又はネットワーク能力のそれぞれの動作の可非を示す、符号化された情報エレメントを公衆陸上移動通信網に送信する。
【００１９】
なお別の態様では、公衆陸上移動通信網からの状態報告を要求する符号化された情報エレメントの受信は、移動端末と公衆陸上移動通信網との間の登録手続きの一部として実行される。
【００２０】
本発明の目的及び利点は、図面と共に以下の詳細な説明を読めば理解されよう。
【発明を実施するための最良の形態】
【００２１】
本発明の種々の特徴を、次に図面を参照して記載するが、図面では同様の構成は同じ参照文字を用いる。
【００２２】
本発明の種々の態様を、いくつかの例示的実施形態と共にさらに詳しく記載する。本発明の理解を容易にするために、本発明の多くの態様を、プログラムされた命令を実行することができるコンピュータシステムの構成要素又はその他のハードウエアにより実施される一連の動作として記載する。それぞれの実施形態では種々の動作は、特殊な回路(例えば、特定機能を実行するように相互接続される個別論理ゲート)、１以上のプロセッサにより実行されるプログラム命令、又は両者の組み合わせにより実行することができることが認識されよう。さらに本発明は、本明細書に記述する技術をプロセッサに実行させる適切なコンピュータ命令のセットを格納した、固体メモリ、磁気ディスク、光ディスク又は搬送波（例えば、無線周波数、音声周波数又は光周波数搬送波など）などの任意の形式のコンピュータ可読担体内において、完全に実施されるとさらに考えられる。このように、本発明の種々の態様は多くの異なる形式において実施することができ、このような形式は全て本発明の範囲内にあると考えられる。本発明の種々の態様のそれぞれに対する実施形態のそのような任意の形式は、本明細書では記述した動作を実行する「ように構成された論理」、又は記載した動作を実行する「ところの論理」と呼ぶ。
【００２３】
本発明の態様は、リストを受信したネットワーク及び任意の他のネットワークのＰＬＭＮ符号において１以上のサービスの可用性を示す、選択的ＵＥ能力リストを送信し、ＵＥにおいて格納することにより、ＵＥの能力を選択的に動作不能にするための新規機構である。動作では、ＵＥはサービス要求の前にリストを参照し、動作可能であると示されていないサービスを要求しない。
【００２４】
本発明の種々の態様の理解を容易にし、読者に良く知られた用語を提供するために、３ＧＰＰ仕様書に一致する実施形態を記載する。しかしながら、本明細書に記載する種々の主題及び態様は３ＧＰＰ仕様書に従って設計されるシステムに限定されることは無く、類似するタイプの移動通信システムに適用可能であることが理解されよう。
【００２５】
種々の実施形態は、ネットワークとＵＥとの間の通信を利用して、サービスの可用性／非可用性の指示を伝える。３ＧＰＰシステムでは、この目的のために、既存の移動管理（ＭＭ）及びＧＰＲＳ移動管理（ＧＭＭ）機能を再使用するのが有利である。これは、３ＧＰＰ  ＴＳ２４．００８により定義されるＭＭ情報メッセージ及びＧＭＭ情報メッセージの高度化により達成される。
【００２６】
図１は、ＵＥ１０１と、ＵＥ１０１が目下ローミング中である公衆陸上移動通信網（ＰＬＭＮ）１０３との間で実行される例示的処理を図示するメッセージ送信／処理を示す図である。ＵＥ１０１は、移動装置（ＭＥ）１０３及び世界加入者ＩＤモジュール（ＵＳＩＭ）又は加入者ＩＤモジュール（ＳＩＭ）１０５（本明細書では「（Ｕ）ＳＩＭ」と一般に呼ぶ。）のいずれかを含む。ＰＬＭＮ１０７は、移動通信交換局（ＭＳＣ）及び／又は在圏ＧＰＲＳサポート・ノード１０９を含むことができる。ＰＬＭＮ１０７は、ＭＭ情報メッセージ及びＧＭＭ情報メッセージを使用して、「選択的ユーザ装置（ＵＥ）能力リスト」と呼ばれる情報要素（ＩＥ）をＵＥ１０１へダウンロードする(ステップ１１１)。選択的ＵＥ能力リストは、リストを受信したＰＬＭＮ１０７及び任意の他のネットワークのＰＬＭＮ符号における１以上のサービスの可用性をＵＥ１０１に示す（即ち、リストは、ＵＥ１０１が自らローミングすることのある全てのネットワークに動作不能のサービスを要求させないようにする）。
【００２７】
選択的ＵＥ能力リストを受信すると（ステップ１１３）、ＵＥはＵＥ１０１がオフになって選択的ＵＥ能力リストを保持する、ＭＥ１０３の格納エリア内にこのリストを格納する（ステップ１１５）。このようにして、ＵＥ１０１は、ＵＥ１０１がオンに戻った時の特定ＵＥ能力の可用性の状態（即ち、動作の可非）を維持する。ＵＥ１０１は、動作可能であると示されていないサービスを要求することはできない（ステップ１１７）。
【００２８】
選択的ＵＥ能力リストＩＥは、エンドユーザが特定のサービスを利用できない原因を判断するのを支援する、１以上のカスタマー・ケア・サービス番号及びテキストストリングも含むことができる。テキストストリングが、例えば「あなたの携帯はウイルスに汚染されています。あなたのオペレータに電話してください」か、又は「以下の番号のあなたのオペレータに電話して下さい」と言ったことを表すようにしても良い。任意のカスタマー・ケア・サービス番号、又はテキストストリングを新しいＩＥにおいて受信すると、ＵＥ１０１はカスタマー・ケア・サービス番号について直ちにユーザに通知し、テキストストリングを表示することが好ましい。
【００２９】
さらに、ＵＥ１０１は選択的ＵＥ能力リストにおいて与えられる指示を使用して、適するサービスの可用性についてユーザに通知すべきである（例えば、「パケット交換（ＰＳ）網を介するショート・メッセージ・サービス（ＳＭＳ）を行うことはできません」など）。
【００３０】
いくつかの実施形態では、新しい選択的ＵＥ能力リストＩＥが含まれる場合はいつでも、ＭＭ情報メッセージ及びＧＭＭ情報メッセージに暗号化を適用することにより、動作不能化機構を安全にすることができる。この特徴が実施形態に含まれる場合、これらのメッセージの暗号化は、選択的ＵＥ能力リストＩＥが含まれる場合はいつでも必須であるべきである。
【００３１】
ＭＥ１０３内に選択的ＵＥ能力リストを格納することにより達成される利点は、（Ｕ）ＳＩＭ１０５が存在しなくても、ＵＥ１０１において動作不能であるサービスの要求を禁止することが可能になることである。（Ｕ）ＳＩＭがインストールされていなくても、ＵＥは緊急呼のネットワークへの接続が通常許されることから、ＭＥ１０３内に選択的ＵＥ能力リストを格納すれば、これらの状況下においても動作不良のＵＥからネットワークが保護される。
【００３２】
別の態様では、選択的ＵＥ能力リストは通常修復機能を達成し、ネットワークが適当と判断すれば、動作不能にされたサービス又は能力を再度動作可能にする。例えば、ユーザは、端末を正しく機能しないようにする、動作不良の（又は感染した）ジャバ（Ｊａｖａ（登録商標））アプリケーションを端末にダウンロードすることがある。結果として、上記のように１以上のサービス又は能力が動作不能になる。しかしながら、本来の機能は後に回復される(例えば、ユーザは事業者のサポートセンタに電話することができ、これによりユーザーが正しいパッチをダウンロードするか、又は事業者により自動的にダウンロードされる）。従って、ネットワークが、以前に動作不能になったサービス及び／又は能力を再度動作可能にする新しい選択的ＵＥ能力リストをＵＥ１０１に提供することが適当である。
【００３３】
選択的ＵＥ能力リストの別の使用の仕方は、ＵＥ１０１に格納された(利用可能な)選択的ＵＥ能力リストの状態を、ホームＰＬＭＮ（ＨＰＬＭＮ）又は在圏ＰＬＭＮ（ＶＰＬＭＮ）に知らせることである。これは、例えばルーティングエリア更新受理メッセージ、添付受理メッセージ、又は位置更新受理メッセージのいずれかに要求ＭＳ情報ＩＥを含めることにより実行することができる。３ＧＰＰ規格と一致するシステムでは、ＰＬＭＮ１０７に送信される選択的ＵＥ能力リストＩＥの要求をＵＥ１０１に知らせるための新しいビットを追加することにより、要求ＭＳ情報ＩＥを強調すべきである。さらに、選択的ＵＥ能力リストＩＥを、添付完了メッセージ、ルーティングエリア更新完了メッセージに含めることを認めるべきである。位置更新手順に関する１つの解決策は、添付受理メッセージ及びルーティングエリア更新メッセージに関して記載したのと類似の方法で、位置更新受理メッセージを強調することである。特に、新しい選択的ＵＥ能力リストＩＥを含めるべきことをＵＥに知らせるために、新しいフィールド（例えば、１つの指定されたビット位置）を要求ＭＳ情報ＩＥに追加することができる。現在のところ、位置更新受理メッセージには、要求ＭＳ情報ＩＥ及びその対応する論理を含める可能性がない。従って、任意の位置更新受理メッセージに要求ＭＳ情報ＩＥを含めることが認められるべきである。さらに、選択的ＵＥ能力リストＩＥを含めることができる、新しい位置更新完了メッセージを追加すべきである。
【００３４】
次に図２を参照して、選択的ＵＥ能力リストＩＥ２００の例示的実施形態を記載する。例示的実施形態は３ＧＰＰ規格に従って動作するシステムには特に有用である。選択的ＵＥ能力リストＩＥ２００におけるフィールドの特定レイアウト及び符号化は単に例示的であり、多くのその他のレイアウト及びフィールド定義が代替実施形態において可能であり、使用可能であることが、理解されよう。
【００３５】
図２に示すように、例示する選択的ＵＥ能力リストＩＥ２００は、オクテットの番号ｍを含む。各オクテットは１から８の番号を付されたビットを有し、ビット番号８が最上位ビットであり、ビット番号１が最下位ビットである。オクテット１は、この情報要素を選択的ＵＥ能力リストＩＥとして特定する値で符号化する。
【００３６】
すぐに分かるように、選択的ＵＥ能力リストＩＥ２００はいくつかの可変長のフィールドを含む。従って選択的ＵＥ能力リストＩＥ２００の全体の長さ自体は可変である。オクテット２はそれ故この全体の長さを示すように符号化される。
【００３７】
オクテット３及び４は、いくつかのネットワークサービス及び／又はネットワーク能力それぞれの動作の可非を示すように符号化される。この例示的実施形態では、これは選択的に動作可能なネットワークサービス／能力のそれぞれをオクテット３及び４におけるビットそれぞれ１つと関連させることにより達成される。ビットが１つの状態(例えば、０)に設定されると、対応するサービス／能力が動作可能になり、その他の状態(例えば、１)に設定されると、対応するサービス／能力は動作不能になる。オクテット３の例示的符号化を表１に示す。オクテット４の例示的符号化は表２に示す。
【００３８】
2008519476.tif 000003
【００３９】
2008519476.tif 000004
【００４０】
本発明の態様では、ＵＥは自らに対して、情報要素により動作不能であると示される全てのネットワークサービス及びネットワーク能力を要求することを禁止するように動作する。例示する選択的ＵＥ能力ＩＥ２００に対して、ＵＥは以下のように動作する：
【００４１】
選択的ＵＥ能力リストＩＥを受信すると、次にＵＥは好ましくは以下の動作を行う：
【００４２】
・  ＣＣビットが１に設定されると、ＵＥは全てのアクティブな呼の切断を開始し、状態Ｕ０「ゼロ」を入力する。さらに現時点から、０に設定されたＣＣビットを有する新しい選択的ＵＥ能力リストＩＥを受信するまで、呼を受信しても、ＵＥは緊急呼およびカスタマー・ケア・サービス番号を除いて、呼制御手順を使用しない。
・  ＥＣビットが１に設定されると、ＵＥはアクティブな緊急呼があれば全ての切断を自動的に開始する。さらに現時点から、０に設定されたＥＣビットを有する新しい選択的ＵＥ能力リストＩＥを受信するまで、ＵＥは緊急呼に対して呼制御手順を使用しない。
・  ＳＳビットが１に設定されると、ＵＥは全てのアクティブな追加サービス動作を終了させる。さらに現時点から、０に設定されたＳＳビットを有する新しい選択的ＵＥ能力リストＩＥを受信するまで、ＵＥは追加サービス動作及びその応答（例えば、位置サービス（ＬＣＳ）に対する）を読み出さない。
・  ＣＳによるＳＭＳビットが１に設定されると、現時点から、０に設定されたＳＭＳビットを有する新しい選択的ＵＥ能力リストＩＥを受信するまで、ＵＥはＳＭＳの伝送のために回線交換ドメインを使用しない。実行オプション(即ち、代替実施形態)として、ＵＥはＳＭＳの伝送のために、回線交換ドメインの代わりにＧＰＲＳを使用することができる。
・  ＰＳによるＳＭＳビットが１に設定されると、現時点から、０に設定されたＰＳによるＳＭＳビットを有する新しい選択的ＵＥ能力リストＩＥを受信するまで、ＵＥはＳＭＳの伝送のためにＧＰＲＳを使用しない。実行オプション(即ち、代替実施形態)として、ＵＥはＳＭＳの伝送のためにＧＰＲＳの代わりに回線交換ドメインを使用することができる。
・  ＣＳによるＬＣＳビットが１に設定されると、現時点から、０に設定されたＬＣＳビットを有する新しい選択的ＵＥ能力リストＩＥを受信するまで、ＵＥは位置サービスのために回線交換ドメインを使用しない。実行オプション(即ち、代替実施形態)として、ＵＥは位置サービスのために回線交換ドメインの代わりにＧＰＲＳを使用することができる。
・  ＰＳによるＬＣＳビットが１に設定されると、現時点から、０に設定されたＬＣＳビットを有する新しい選択的ＵＥ能力リストＩＥを受信するまで、ＵＥは位置サービスのためにＧＰＲＳを使用しない。実行オプション(即ち、代替実施形態)として、ＵＥは位置サービスのためにＧＰＲＳの代わりに回線交換ドメインを使用することができる。
・  ＧＰＲＳ  ＳＭビットが１に設定されると、ＵＥはアクティブなＰＤＰコンテキストに割り当てた全てのリソースを開放し、ＰＤＰコンテキストデータを消去する。さらにＵＥは、Ａ／Ｇｂモードにあれば待機状態、又はＩｕモードにあればＰＭＭ‐アイドル状態に移行する。さらに、現時点から、０に設定されたＧＰＲＳ  ＳＭビットを有する新しい選択的ＵＥ能力リストＩＥを受信するまで、ＵＥはＧＰＲＳ  ＳＭ手順を使用しない。
・  ＭＢＭＳ  ＳＭビットが１に設定されると、ＵＥはアクティブなＭＢＭＳコンテキストに割り当てた全てのリソースを開放し、ＭＢＭＳコンテキストデータを消去する。さらに、現時点から、０に設定されたＭＢＭＳ  ＳＭビットを有する新しい選択的ＵＥ能力リストＩＥを受信するまで、ＵＥはＭＢＭＳ  ＳＭ手順を使用しない。
・  ＩＭＳビットが１に設定されると、ＵＥはＩＰマルチメディアサブシステム（ＩＭＳ）セッションに割り当てた全てのリソースを開放する。さらに、現時点から、０に設定されたＩＭＳビットを有する新しい選択的ＵＥ能力リストＩＥを受信するまで、ＵＥはＩＭＳサービスのためにＩＭＳ手順を使用しない。
次に、図２に示す例示する選択的ＵＥ能力リストＩＥ２００の説明に戻る。オクテット５からオクテットｈ‐１は第１のカスタマー・ケア・サービス番号を持ち、オクテットｈからオクテットｈ＋ｎは第２のカスタマーケア番号を持つ。オクテット５及びオクテットｈはそれぞれ第１及び第２のカスタマー・ケア・サービス番号の長さを示すように符号化される。オクテット６及びオクテットｈ＋１は、それぞれ番号計画ＩＤ及び第１及び第２のカスタマー・ケア・サービス番号それぞれの番号種別を示すフィールドを有する。番号種別フィールドは、例えば表３に示すように符号化することができる。
【００４３】
2008519476.tif 000005
【００４４】
表３を参照すると、「不明」と指定された番号種別は、ユーザ又はネットワークが番号種別が分からない場合に使用する(例えば、国際番号、国内番号など)。この場合、番号ディジットフィールドは、ネットワークダイヤル計画に従って編成される（例えば、プレフィックス又はエスケープディジットが存在し得る）。
【００４５】
国内番号又は国際番号のいずれかが指示された場合には、プレフィックス又はエスケープディジットは含まれない。
【００４６】
また、国際番号が指示された場合、呼がＭＳＣと同じ国の宛先宛の場合、国際形式はＭＳＣにより受け入れられる。
【００４７】
続いて表３を参照すると、「ネットワーク専用番号」に指定される番号種別は、在圏ネットワークに専用の管理番号／サービス番号を示すために使用される（例えば、オペレータへの接続に使用する）。
【００４８】
番号計画ＩＤフィールドは、例えば表４に示すように符号化することができる。
【００４９】
2008519476.tif 000006
【００５０】
番号種別が「０００」、「００１」「０１０」又は「１００」のいずれかの場合、番号計画フィールドの符号化は有効である。
【００５１】
図２の参照に戻る。各番号ディジット(例えば、番号ディジット１、番号ディジット２、番号ディジット３、．．．)は、表５に示すように符号化することができる。
【００５２】
2008519476.tif 000007
【００５３】
図２に示す例示する選択的ＵＥ能力リストＩＥ２００の最後の部分は、前述した任意のテキストストリングである。これについては、オクテットｉ（ｉ＝ｈ＋ｎ＋１）をネットワークのテキストストリングの内容の長さを示すように符号化する。次のオクテット（オクテットｉ＋１）は符号化方式を示すフィールド及び、最終オクテットにおける予備ビット番号を示す別のフィールドを含む。最終オクテットにおける予備ビット番号を示すフィールドは、例えば表６に示すように符号化することができる。
【００５４】
2008519476.tif 000008
【００５５】
オクテットｉ＋１における符号化方式フィールドは表７に示すように符号化できる。
【００５６】
2008519476.tif 000009
【００５７】
本明細書に記載する本発明の種々の態様は、多くの利点を提供するが、そのいくつかは：
・  ３ＧＰＰなどの規格により定義されるＵＥの能力要求を全て選択的に動作不能にするための解決策を提供する。
・  ＵＥにおける実行はＭＥのみに影響し、（Ｕ）ＳＩＭには影響しない。
・  本明細書において記載する種々の実施形態は安価で、ＵＥに素早く実装される。
・  （Ｕ）ＳＩＭを持たない動作不良のＵＥがネットワークに割り当てられ、無線及び無線リソースを浪費することを防止できる（即ち、汎用集積回路カード（ＵＩＣＣ）‐のないシナリオ）。
・  ホームネットワークプロバイダ(例えば、ＨＰＬＭＮ)ならびに在圏ネットワーク事業者に、そのネットワークにおける全てのユーザの制御のための機構を提供する。
・  種々の実施形態が（Ｕ）選択的ＵＥ能力リストのＳＩＭへの格納を含まないので、動作不良のＵＥのユーザは、異なる、動作不良でない、構成不良ではないＵＥへ（Ｕ）ＳＩＭ（そしてそれ故加入）を移すことができ、それによりサービスを受け続けることができる。
・  ユーザの相互動作を含むことができる(例えば、カスタマー・ケア・サービス番号、ユーザへのメッセージ）。
【００５８】
本発明を、個々の実施形態を参照して記載した。しかしながら、以上に記載したこれらの実施形態以外の特定の形式で本発明を実施することが可能であることは、当業者には容易に明らかであろう。
【００５９】
例えば、以上に記載した好ましい実施形態は、全て（Ｕ）ＳＩＭではなくＭＥへの選択的ＵＥ能力リストＩＥの格納を含むが、これはネットワークサービス／ネットワーク能力を選択的に動作可能／動作不能にする基本的能力の達成のための必須条件ではない。以上に説明した理由により（Ｕ）ＳＩＭへ選択的ＵＥ能力リストＩＥを格納しないのが有利である限り、そのような実施形態は有用であり得る。
【００６０】
このように、記載した実施形態は単に説明を目的とするものであり、限定するものであるとは決して考えるべきでない。本発明の範囲は、以上の記述よりむしろ、添付の特許請求の範囲により与えられ、特許請求の範囲に入る全ての変形及び等価なものは特許請求の範囲に含むと考えられる。
【図面の簡単な説明】
【００６１】
【図１】ＵＥと、ＵＥが目下ローミング中である公衆陸上移動通信網との間で実行する例示的処理を図示するメッセージ送信図である。
【図２】選択的ＵＥ能力リストの情報エレメントの例示的実施形態を示す図である。
【図１】
2008519476.tif 000010
【図２】
2008519476.tif 000011
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
移動通信システムにおいて動作する移動端末において、ネットワークサービス及び／又はネットワーク能力を選択的に動作可能にする方法であって、
いくつかのネットワークサービス及び／又はネットワーク能力それぞれが動作可能または動作不能であるかを示す符号化された情報エレメントを受信する工程と、
前記移動端末に前記情報エレメントを格納する工程と、
ネットワークサービスの各リクエストに先だって、前記情報エレメントを参照し、前記情報エレメントが前記ネットワークサービスが動作不能であることを示す場合に前記移動端末が前記ネットワークサービスをリクエストすることを禁止し、前記情報エレメントが前記ネットワークサービスが動作可能であることを示す場合に前記移動端末が前記ネットワークサービスをリクエストすることを可能にする工程と
を有することを特徴とする方法。
【請求項２】
ネットワークサービス及び／又はネットワーク能力の可用性に関する情報を前記移動端末のユーザ向けに出力する工程を有し、前記情報は受信した情報エレメントから導出されることを特徴とする請求項１に記載の方法。
【請求項３】
前記情報エレメントはテキストストリングを含み、
前記方法は、前記テキストストリングを前記携帯端末のユーザ向けに表示する工程を有することを特徴とする請求項１に記載の方法。
【請求項４】
前記情報エレメントはカスタマーサービスの電話番号を含み、
前記方法は、前記カスタマーサービスの電話番号を前記移動端末のユーザ向けに表示する工程を有することを特徴とする請求項１に記載の方法。
【請求項５】
前記情報エレメントは、第１のネットワークサービス又は第１のネットワーク能力が動作不能であることを示し、
前記方法は、
前記第１のネットワークサービス又は第１のネットワーク能力が動作可能であることを示す符号化された後続の情報エレメントを受信する工程と、
前記移動端末に、前記後続の情報エレメントを格納する工程と、
前記第１のネットワークサービス又は第１のネットワーク能力を要求する前記移動端末の能力を、再び動作可能にするように、前記移動端末を動作させる工程と
を有することを特徴とする請求項１に記載の方法。
【請求項６】
前記移動端末に前記情報エレメントを格納する工程は、前記情報エレメントをメモリに格納する工程を含み、前記メモリは前記移動端末のオン、オフに関わらず前記情報エレメントを保持することを特徴とする請求項１に記載の方法。
【請求項７】
前記移動端末に前記情報エレメントを格納する工程は、前記情報エレメントを前記移動端末の加入者ＩＤモジュール（ＳＩＭ）又は世界加入者ＩＤモジュール（ＵＳＩＭ）の中には存在しないメモリに格納する工程を含むことを特徴とする請求項１に記載の方法。
【請求項８】
公衆陸上移動通信網から、いくつかのネットワークサービス及び／又はネットワーク能力のそれぞれが動作可能であるか動作不能であるかを示す状態報告を要求する、符号化された情報エレメントを受信する工程と、
前記状態報告を要求する符号化された前記情報エレメントの受信に応じて、前記いくつかのネットワークサービス及び／又はネットワークそれぞれが動作可能であるか動作不能であるかを示す、符号化された前記情報エレメントを公衆陸上移動通信網に送信する工程と
を有することを特徴とする請求項１に記載の方法。
【請求項９】
前記公衆陸上移動通信網から、前記状態報告を要求する符号化された前記情報エレメントを受信する工程は、前記移動端末と前記公衆陸上移動通信網との間の登録手続きの一部として実行されることを特徴とする請求項８に記載の方法。
【請求項１０】
前記移動通信システムは、ルーティング・エリア・更新受理メッセージを定義する第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する工程は、いくつかのネットワークサービス及び／又はネットワーク能力それぞれが動作可能であるか動作不能であるかを示す、前記状態報告を要求する符号化されたルーティング・エリア・更新受理メッセージを受信する工程を含むことを特徴とする請求項８に記載の方法。
【請求項１１】
前記移動通信システムは、添付受理メッセージを定義する第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する工程は、いくつかのネットワークサービス及び／又はネットワーク能力それぞれが動作可能であるか動作不能であるかを示す、前記状態報告を要求する符号化された添付受理メッセージを受信する工程を含むことを特徴とする請求項８に記載の方法。
【請求項１２】
前記移動通信システムは、位置更新受理メッセージを定義する第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する工程は、いくつかのネットワークサービス及び／又はネットワーク能力それぞれが動作可能であるか動作不能であるかを示す、前記状態報告を要求する符号化された位置更新受理メッセージを受信する工程を含むことを特徴とする請求項８に記載の方法。
【請求項１３】
前記公衆陸上移動通信網に前記いくつかのネットワークサービス及び／又はネットワーク能力それぞれが動作可能であるか動作不能であるかを示す、符号化された前記情報エレメントを送信する工程は、
前記公衆陸上通信網に前記いくつかのネットワークサービス及び／又はネットワーク能力それぞれが動作可能であるか動作不能であるかを示す、符号化された前記情報エレメントを含む位置更新完了メッセージを送信する工程を含むことを特徴とする請求項１２に記載の方法。
【請求項１４】
前記移動通信システムは、ＭＭ情報メッセージを定義する第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する工程は、前記いくつかのネットワークサービス及び／又はネットワーク能力それぞれが動作可能であるか動作不能であるかを示す、符号化された前記情報エレメントを含むＭＭ情報メッセージを受信する工程を含むことを特徴とする請求項１に記載の方法。
【請求項１５】
前記移動通信システムは、ＧＭＭ情報メッセージを定義する第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する工程は、前記いくつかのネットワークサービス及び／又はネットワーク能力それぞれが動作可能であるか動作不能であるかを示す、符号化された前記情報エレメントを含むＧＭＭ情報メッセージを受信する工程を含むことを特徴とする請求項１に記載の方法。
【請求項１６】
移動通信システムにおいて動作する移動端末において、ネットワークサービス及び／又はネットワーク能力を選択的に動作可能にする装置であって、
いくつかのネットワークサービス及び／又はネットワーク能力それぞれが動作可能または動作不能であるかを示す符号化された情報エレメントを受信する論理と、
前記移動端末に前記情報エレメントを格納する論理と、
ネットワークサービスの各リクエストに先だって、前記情報エレメントを参照し、前記情報エレメントが前記ネットワークサービスが動作不能であることを示す場合に前記移動端末が前記ネットワークサービスをリクエストすることを禁止し、前記情報エレメントが前記ネットワークサービスが動作可能であることを示す場合に前記移動端末が前記ネットワークサービスをリクエストすることを可能にする論理と
を有することを特徴とする装置。
【請求項１７】
ネットワークサービス及び／又はネットワーク能力の可用性に関する情報を前記移動端末のユーザ向けに出力する論理を有し、前記情報は受信した情報エレメントから導出されることを特徴とする請求項１６に記載の装置。
【請求項１８】
前記情報エレメントはテキストストリングを含み、
前記装置は、前記テキストストリングを前記携帯端末のユーザ向けに表示する論理を有することを特徴とする請求項１６に記載の装置。
【請求項１９】
前記情報エレメントはカスタマーサービスの電話番号を含み、
前記装置は、前記カスタマーサービスの電話番号を前記移動端末のユーザ向けに表示する論理を有することを特徴とする請求項１６に記載の装置。
【請求項２０】
前記情報エレメントは、第１のネットワークサービス又は第１のネットワーク能力が動作不能であることを示し、
前記装置は、
前記第１のネットワークサービス又は第１のネットワーク能力が動作可能であることを示す符号化された後続の情報エレメントを受信する論理と、
前記移動端末に、前記後続の情報エレメントを格納する論理と、
前記第１のネットワークサービス又は第１のネットワーク能力を要求する前記移動端末の能力を、再び動作可能にするように、前記移動端末を動作させる論理と
を有することを特徴とする請求項１６に記載の装置。
【請求項２１】
前記移動端末に前記情報エレメントを格納する論理は、前記情報エレメントをメモリに格納する論理を含み、前記メモリは前記移動端末のオン、オフに関わらず前記情報エレメントを保持することを特徴とする請求項１６に記載の装置。
【請求項２２】
前記移動端末に前記情報エレメントを格納する論理は、前記情報エレメントを前記移動端末の加入者ＩＤモジュール（ＳＩＭ）又は世界加入者ＩＤモジュール（ＵＳＩＭ）の中には存在しないメモリに格納する論理を含むことを特徴とする請求項１６に記載の装置。
【請求項２３】
公衆陸上移動通信網から、いくつかのネットワークサービス及び／又はネットワーク能力のそれぞれが動作可能であるか動作不能であるかを示す状態報告を要求する、符号化された情報エレメントを受信する論理と、
前記状態報告を要求する符号化された前記情報エレメントの受信に応じて、前記いくつかのネットワークサービス及び／又はネットワークそれぞれが動作可能であるか動作不能であるかを示す、符号化された前記情報エレメントを公衆陸上移動通信網に送信する論理と
を有することを特徴とする請求項１６に記載の装置。
【請求項２４】
前記公衆陸上移動通信網から、前記状態報告を要求する符号化された前記情報エレメントを受信する論理は、前記移動端末と前記公衆陸上移動通信網との間の登録手続きの一部として実行されることを特徴とする請求項２３に記載の装置。
【請求項２５】
前記移動通信システムは、ルーティング・エリア・更新受理メッセージを定義する第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する論理は、いくつかのネットワークサービス及び／又はネットワーク能力それぞれが動作可能であるか動作不能であるかを示す、前記状態報告を要求する符号化されたルーティング・エリア・更新受理メッセージを受信する論理を含むことを特徴とする請求項２３に記載の装置。
【請求項２６】
前記移動通信システムは、添付受理メッセージを定義する第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する論理は、いくつかのネットワークサービス及び／又はネットワーク能力それぞれが動作可能であるか動作不能であるかを示す、前記状態報告を要求する符号化された添付受理メッセージを受信する論理を含むことを特徴とする請求項２３に記載の装置。
【請求項２７】
前記移動通信システムは、位置更新受理メッセージを定義する第３世代パートナーシップ・プロジェクト（３ＧＰＰ）規格に従って動作し、
前記公衆陸上移動通信網から、いくつかのネットワークサービス及び／又はネットワーク能力それぞれが動作可能であるか動作不能であるかを示す、前記状態報告を要求する符号化された前記情報エレメントを受信する論理は、いくつかのネットワークサービス及び／又はネットワーク能力それぞれが動作可能であるか動作不能であるかを示す、前記状態報告を要求する符号化された位置更新受理メッセージを受信する論理を含むことを特徴とする請求項２３に記載の装置。
【請求項２８】
前記公衆陸上移動通信網に前記いくつかのネットワークサービス及び／又はネットワーク能力それぞれが動作可能であるか動作不能であるかを示す、符号化された前記情報エレメントを送信する論理は、
前記公衆陸上通信網に前記いくつかのネットワークサービス及び／又はネットワーク能力それぞれが動作可能であるか動作不能であるかを示す、符号化された前記情報エレメントを含む位置更新完了メッセージを送信する論理を含むことを特徴とする請求項２７に記載の装置。
【請求項２９】
前記移動通信システムは、ＭＭ情報メッセージを定義する第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する論理は、前記いくつかのネットワークサービス及び／又はネットワーク能力それぞれが動作可能であるか動作不能であるかを示す、符号化された前記情報エレメントを含むＭＭ情報メッセージを受信する論理を含むことを特徴とする請求項１６に記載の装置。
【請求項３０】
前記移動通信システムは、ＧＭＭ情報メッセージを定義する第３世代パートナーシップ・プロジェクト（３ＧＰＰ）規格に従って動作し、
前記いくつかのネットワークサービス及び／又はネットワーク能力それぞれが動作可能であるか動作不能であるかを示す、符号化された前記情報エレメントを受信する論理は、前記いくつかのネットワークサービス及び／又はネットワーク能力それぞれが動作可能であるか動作不能であるかを示す、符号化された前記情報エレメントを含むＧＭＭ情報メッセージを受信する論理を含むことを特徴とする請求項１６に記載の装置。
【手続補正２】
【補正対象書類名】明細書
【補正対象項目名】０００９
【補正方法】変更
【補正の内容】
【０００９】
今日までのところ、ＵＥ能力を選択的に動作不能にするための特定の機構は存在しない。
米国特許第５，７９４，１４２号は、移動端末へ送られたショート・メッセージ・サービス（ＳＭＳ）メッセージを用いてネットワークサービスを動作可能にしたり、動作不能にしたりすることが記載されている。動作中に、動作不能にされるサービスを、ユーザが選択できるサービスのリストから削除することにより、ユーザが動作不能にされたサービスを選択し、起動することを防ぐ。この方法では、ユーザ指示に依らずに自ら起動する、悪意のある、又は、構成不良のソフトウェアから携帯端末及びネットワークを保護することができない。
米国特許公開第２００４／０２０３９４１号も同様に、特徴コードをＳＭＳ又はインターネットプロトコルベースのオーバー・ザ・エアー（ＩＯＴＡ）プロトコルにより携帯に送信する、携帯構成用のシステム及び方法を記載している。この文献は、先に行われる動作不能化にかかわらず、悪意のある、又は、構成不良のソフトウェアが動作することを防ぐための機構を記載していない。
米国特許第６，２２３，０３２号は、ネットワークから送信されるメッセージにより制御される移動機を含む動作不良の移動機識別システム及び方法であって、移動機が修正されるまでアイドル状態且つ非動作状態に保つことを記載している。従って、このシステムは、他の機能を動作可能にし続けながら、いくつかの機能を選択的に動作不能にはしない。
【手続補正３】
【補正対象書類名】明細書
【補正対象項目名】００１１
【補正方法】変更
【補正の内容】
【００１１】
本発明の１態様によれば前出及びその他の目的は、移動通信システムにおいて動作する移動端末におけるネットワークサービス及び／又はネットワーク能力を選択的に動作可能にするための技術において達成される。１態様においては、これはいくつかのネットワークサービス及び／又はネットワーク能力のそれぞれの動作の可非を示す符号化された情報エレメントを受信することを含む。そして、情報エレメントは、移動端末に格納される。次いで、携帯端末の動作は、ネットワークサービスの各リクエストに先だって、情報エレメントを参照し、前記情報エレメントが前記ネットワークサービスが動作不能であることを示す場合に前記移動端末が前記ネットワークサービスをリクエストすることを禁止し、前記情報エレメントが前記ネットワークサービスが動作可能であることを示す場合に前記移動端末が前記ネットワークサービスをリクエストすることを可能にする。
【国際調査報告】
2008519476.tif 000012
2008519476.tif 000013
2008519476.tif 000014